(57)【要約】【課題】  小型化が進む撮像装置において、対衝撃や電磁波をシールドするため、金属筐体を用いるケースが増えている。又、電磁波をシールドすることのできない非金属筐体の撮像装置においても、不要輻射を抑えるために、非金属筐体に金属メッキ或は金属塗装を行う場合が多い。このような撮像装置においても機器本体の投影面積を大きくすることなく安定した無線通信が行えるようなアンテナのレイアウトを提供する。【解決手段】  無線通信を行う無線通信手段と前記無線通信手段による無線通信を行うためのアンテナ部と情報を表示する表示手段とを備え、金属部材からなる外装カバーに覆われている撮像装置において、前記外装カバーには前記撮像装置の情報を表示するための窓部が形成されていて、前記アンテナ部は無線通信のための電波を前記窓部より送受信する。【選択図】  図１
2009141770.tif 000002
【特許請求の範囲】
【請求項１】
無線通信を行う無線通信手段（７００）と前記無線通信手段（７００）による無線通信を行うためのアンテナ部（８００）と情報を表示する表示手段（６００）とを備え、金属部材からなる外装カバー（１０１）に覆われている撮像装置（１００）において、前記外装カバー（１０１）には前記撮像装置（１００）の情報を表示するための窓部（１０４）が形成されていて、前記アンテナ部（８００）は無線通信のための電波を前記窓部（１０４）より送受信することを特徴とする撮像装置（１００）。
【請求項２】
前記表示手段（６００）は液晶パネル（６０１）と前記液晶パネル（６０１）の背面に配置され前記液晶パネル（６０１）の光源手段であるバックライトユニット（６０２）で構成されていて、前記バックライトユニット（６０２）の前記液晶パネル（６０１）とは反対側に配置され前記液晶パネル（６０１）と前記バックライトユニット（６０２）を支持する金属部材からなる支持部材（１０２）を備え、前記バックライトユニット（６０２）と前記支持部材（１０２）の間に前記アンテナ部（８００）を備えていることを特徴とする請求項１に記載の撮像装置（１００）。
【請求項３】
前記アンテナ部（８００）と前記支持部材（１０２）との間に絶縁シート（１０３）を備えていることを特徴とする請求項２に記載の撮像装置（１００）。
【請求項４】
前記支持部材（１０２）には前記アンテナ部（８００）を収納する凹み部（１０５）を有することを特徴とする請求項２、又は請求項３に記載の撮像装置（１００）。
【請求項５】
前記撮像装置（１００）は、被写体像を生成する撮影レンズ（２０４）と、前記撮影レンズ（２０４）により結像される被写体像を光電変換して電子的な画像データを生成する撮像手段（２０５）と、前記画像データを記録する記録手段（９００）とを備える撮像装置（１００）であることを特徴とする請求項１〜請求項４のいずれかに記載の撮像装置（１００）。
【請求項６】
前記支持部材（１０２）の前記アンテナ部（８００）を収納する凹み部（１０５）を前記撮影レンズ（２０４）の背面側で前記撮像素子（２０５）の側面の空間に配置したことを特徴とする請求項５に記載の撮像装置（１００）。
【請求項７】
前記表示手段（６００）は液晶パネル（６０１）と前記液晶パネル（６０１）の背面に配置され前記液晶パネル（６０１）の光源手段であるバックライトユニット（６０２）で構成されていて、前記バックライトユニット（６０２）の前記液晶パネル（６０１）とは反対側に配置され前記液晶パネル（６０１）と前記バックライトユニット（６０２）を支持する金属部材からなる支持部材（１０２）を備え、前記バックライトユニット（６０２）は光を照射する光源（６０７）を有し、前記光源（６０７）から照射された光を側端面から内部に導入し、前記導入した光を前記液晶パネルと対向する第一の主面側から前記液晶パネルに照射する導光板（６０３）と、前記導光板（６０３）の前記液晶パネル（６０２）とは反対側に配置されて、前記導光板（６０３）の前記第一の主面と対向する第二の主面側から出射された光を前記導光板（６０３）の第一の主面側に向かって反射する反射板（６０４）を備えており、前記反射板（６０４）と前記アンテナ部（８００）とが一体に形成されていることを特徴とした請求項1に記載の撮像装置（１００）。
【請求項８】
前記撮像装置（１００）は、被写体像を生成する撮影レンズ（２０４）と、前記撮影レンズ（２０４）により結像される被写体像を光電変換して電子的な画像データを生成する撮像手段（２０５）と、前記画像データを記録する記録手段（９００）とを備える撮像装置（１００）であることを特徴とする請求項７に記載の撮像装置（１００）。
【発明の詳細な説明】
【技術分野】
【０００１】
本発明は、撮像装置に無線通信のためのアンテナを内蔵する際のアンテナの配置に関する発明である。
【背景技術】
【０００２】
近年、パソコンや周辺機器のワイヤレス化の進行に伴い、デジタルカメラのような携帯型撮像装置への無線ＬＡＮ等の無線通信手段の搭載が望まれている。無線通信手段を撮像装置に搭載する場合、アンテナの配置が問題となり、アンテナを撮像装置に内蔵する場合には様々な制約がある。先ず、アンテナの通信方向に金属があるとアンテナの無線信号が妨げられ、安定した通信を行うことができない。そのため、アンテナの通信方向の部材を非金属材料にする必要がある。又、アンテナを配置するには広い平面が必要であり、小型化が進む携帯撮像装置においては配置スペースを確保するのが困難になってきている。
【０００３】
一方、撮像装置本体の小型化が進む中、画像や情報の表示手段である液晶パネルは大型化している傾向にある。そのため、外部圧力による液晶パネルの歪みや割れが問題となっており、液晶パネルとこの液晶パネルの光源であるバックライトを支持する部材は剛性と強度が求められており、本体の小型化の流れから、モールド材料に比べて薄い厚みで剛性と強度を得られる金属材料であることが望ましい。
【０００４】
また、撮像装置は、対衝撃や電磁波をシールドするため、金属筐体を用いるケースが増えている。又、電磁波をシールドすることのできない非金属筐体の撮像装置においても、不要輻射を抑えるために、非金属筐体に金属メッキ或は金属塗装を行う場合が多い。このような撮像装置に無線通信のためのアンテナを搭載するために、特許文献１のようなアンテナ周辺部の部材を金属から非金属にする方法が知られている。更に特許文献２では表示手段の周囲にアンテナ部を配置する方法が提案されている。
【特許文献１】特開２００２−０３２１５０号公報
【特許文献２】特開２０００−５７２９３号公報
【発明の開示】
【発明が解決しようとする課題】
【０００５】
しかしながら、金属筐体において、アンテナが存在する部分のみ非金属材料を使用する方法は、部品数が増えるため、組み立て性の問題、製造コストの問題、２種類の材料を使っていることによるデザイン性の問題が考えられ、更に、非金属の部分が大きくなる場合には、電磁波をシールドできないという問題が生じる可能性がある。
【０００６】
更に表示手段の周囲にアンテナ部を配置する方法はシステムの投影面積が大きくなり、撮像装置の装置本体の大型化につながってしまう。
【０００７】
そのため、本発明は、撮像装置にアンテナを配置する際、新たに機構を追加したり、機器本体のサイズを大きくすることなく安定した無線通信が可能なアンテナ配置を実現することができる撮像装置を提供することにある。
【課題を解決するための手段】
【０００８】
上記目的を達成するため、請求項１記載の発明は、無線通信を行う無線通信手段と前記無線通信手段による無線通信を行うためのアンテナ部と情報を表示する表示手段とを備え、金属部材からなる外装カバーに覆われている撮像装置において、前記外装カバーには前記撮像装置の情報を表示するための窓部が形成されていて、前記アンテナ部は無線通信のための電波を前記窓部より送受信することとした。
【０００９】
また、請求項２記載の発明は、請求項１に記載の発明で、前記表示手段は液晶パネルと前記液晶パネルの背面に配置され前記液晶パネルの光源手段であるバックライトユニットで構成されていて、前記バックライトユニットの前記液晶パネルとは反対側に配置され前記液晶パネルと前記バックライトユニットを支持する金属部材からなる支持部材を備え、前記バックライトユニットと前記支持部材の間に前記アンテナ部を備えていることとした。
【００１０】
請求項３記載の発明は、請求項２に記載の発明で、前記アンテナ部と前記支持部材との間に絶縁シートを備えていることとした。
【００１１】
請求項４記載の発明は、請求項２または請求項３に記載の発明で、前記支持部材には前記アンテナ部を収納する凹部を有することとした。
【００１２】
請求項５記載の発明は、請求項１〜請求項４のいずれかに記載の発明で、前記撮像装置は、被写体像を生成する撮影レンズと、該撮影レンズにより結像される被写体像を光電変換して電子的な画像データを生成する撮像手段と、前記画像データを記録する記録手段とを備える撮像装置であることとした。
【００１３】
請求項６記載の発明は、請求項５記載の発明で、前記支持部材の前記アンテナ部を収納する凹み部を前記撮影レンズの背面側で前記撮像素子の側面の空間に配置したこととした。
【００１４】
請求項７記載の発明は、請求項１記載の発明で、前記表示手段は液晶パネルと前記液晶パネルの背面に配置され前記液晶パネルの光源手段であるバックライトユニットで構成されていて、前記バックライトユニットの前記液晶パネルとは反対側に配置され前記液晶パネルと前記バックライトユニットを支持する金属部材からなる支持部材を備え、前記バックライトユニットは光を照射する光源を有し、前記光源から照射された光を側端面から内部に導入し、前記導入した光を前記液晶パネルと対向する第一の主面側から前記液晶パネルに照射する導光板と、前記導光板の前記液晶パネルとは反対側に配置されて、前記導光板の前記第一の主面と対向する第二の主面側から出射された光を前記導光板の第一の主面側に向かって反射する反射板を備えており、前記反射板と前記アンテナ部とが一体に形成されていることとした。
【００１５】
請求項８記載の発明は、請求項７記載の発明で、前記撮像装置は、被写体像を生成する撮影レンズと、前記撮影レンズにより結像される被写体像を光電変換して電子的な画像データを生成する撮像手段と、前記画像データを記録する記録手段とを備える撮像装置であることとした。
【発明の効果】
【００１６】
請求項１に記載の発明によれば、無線通信を行う無線通信手段と前記無線通信手段による無線通信を行うためのアンテナ部と情報を表示する表示手段とを備え、金属部材からなる外装カバーに覆われている撮像装置において、前記外装カバーには前記撮像装置の情報を表示するための窓部が形成されていて、前記アンテナ部は無線通信のための電波を前記窓部より送受信することとしたので、従来より備えている情報表示用の窓部を無線通信の送受信部として利用しているため、無線通信用の窓部或いは非金属部分を外装カバーに新たに設ける必要がなくなるため、部品数及び製造コストを削減でき、組み立て性が向上し、撮像装置のデザインの幅が広がり、更に不要電磁波をシールドすること可能になる。
【００１７】
また、請求項２に記載の発明は、請求項１に記載の発明で、前記表示手段は液晶パネルと前記液晶パネルの背面に配置され前記液晶パネルの光源手段であるバックライトユニットで構成されていて、前記バックライトユニットの前記液晶パネルとは反対側に配置され前記液晶パネルと前記バックライトユニットを支持する金属部材からなる支持部材を備え、前記バックライトユニットと前記支持部材の間に前記アンテナ部を配置したので、バックライトユニット裏面の平面を有効利用することにより撮像装置本体の投影面積を大きくする必要がなく、また、液晶パネルとバックライトユニットはガラス材或いはPET材で構成されているため、機器本体と液晶表示手段の支持部材が金属部材であっても安定した無線通信が可能になる。
【００１８】
請求項３に記載の発明によれば、請求項２に記載の発明で、前記アンテナ部と前記支持部材との間に絶縁シートを配置したので、アンテナ部が前記金属部材からなる支持部材の影響を受けることなく安定した無線通信が可能になる。
【００１９】
請求項４に記載の発明によれば、請求項２または請求項３に記載の発明で、前記支持部材には前記アンテナ部を収納する凹部を設けたので、液晶パネルに外部から圧力がかかっても支持部材が圧力を受け、アンテナ部に直接外力は加わらないため、アンテナ部の破損を防ぐことが可能になる。
【００２０】
請求項５に記載の発明によれば、請求項１〜請求項４のいずれかに記載の発明で、前記撮像装置は、被写体像を生成する撮影レンズと、該撮影レンズにより結像される被写体像を光電変換して電子的な画像データを生成する撮像手段と、前記画像データを記録する記録手段とを備える撮像装置としたので、前記無線通信手段を介して撮像装置の各種操作を行うことができ、また撮影した前記画像データを外部機器に無線で転送することが可能になる。
【００２１】
請求項６に記載の発明によれば、請求項５に記載の発明で、前記支持部材の前記アンテナ部を収納する凹み部を前記撮影レンズの背面側で前記撮像素子の側面の空間に配置したので、デッドスペースを有効に活用することにより、機器本体を小型化することが可能になる。
【００２２】
請求項７に記載の発明によれば、請求項１に記載の発明で、前記表示手段は液晶パネルと前記液晶パネルの背面に配置され前記液晶パネルの光源手段であるバックライトユニットで構成されていて、前記バックライトユニットの前記液晶パネルとは反対側に配置され前記液晶パネルと前記バックライトユニットを支持する金属部材からなる支持部材を備え、前記バックライトユニットは光を照射する光源を有し、前記光源から照射された光を側端面から内部に導入し、前記導入した光を前記液晶パネルと対向する第一の主面側から前記液晶パネルに照射する導光板と、前記導光板の前記液晶パネルとは反対側に配置されて、前記導光板の前記第一の主面と対向する第二の主面側から出射された光を前記導光板の第一の主面側に向かって反射する反射板を備えており、前記反射板と前記アンテナ部とが一体に形成したので、バックライト裏面の平面を有効利用するとともに部品点数を削減することが可能になる。
【００２３】
請求項８に記載の発明によれば、請求項７に記載の発明で、前記撮像装置は、被写体像を生成する撮影レンズと、前記撮影レンズにより結像される被写体像を光電変換して電子的な画像データを生成する撮像手段と、前記画像データを記録する記録手段とを備える撮像装置としたので、前記表示手段の部品点数を削減して、スペースを確保することができるので、その分自由度の高い鏡筒設計が可能になる。
【発明を実施するための最良の形態】
【００２４】
次に、本発明の詳細を実施例の記述に従って説明する。
【実施例１】
【００２５】
次に、添付図面を参照しながら本発明に適用される撮像装置の実施の形態について説明する。
【００２６】
図１は本発明に適用される第一の実施形態の撮像装置１００の断面図である。図１において、１０１は本実施形態の撮像装置１００の外装カバーで、この外装カバー１０１には撮像装置１００の情報を表示するための窓部１０４が形成されている。６０１は画像データを表示する他、無線通信を行うためのメニューや撮影時における設定情報を表示する液晶パネル、６０２は液晶パネル６０１の照明装置であるバックライトユニットである。バックライトユニット６０２は不図示の発光ダイオード（ＬＥＤ）６０７から入射した光を全反射を利用して全面に行き渡らせる導光板６０３、導光板６０３の裏面に抜けた光を正面に反射させる反射板６０４、導光板６０３の前面に配置され光を拡散させて反射ムラを目立たなくする拡散板６０５、光を正面に集めて正面輝度を高めさせる集光板６０６で構成されている。
【００２７】
液晶パネル６０１とバックライトユニット６０２は金属部材の支持部材１０２で支持されており、支持部材１０２のバックライトユニット６０２とは反対側に光学系の処理を行うためのレンズ鏡筒ユニット２０３が配置されており、レンズ鏡筒ユニット２０３は被写体像を生成する撮影レンズ２０４ａ、２０４ｂを備えている。
【００２８】
さらに、レンズ鏡筒ユニット２０３の背面と支持部材１０２との間には、撮影レンズ２０４ａ、２０４ｂにより結像される被写体像を光電変換して電子的な画像データを生成する撮像素子（ＣＣＤ）２０５が配置されている。
【００２９】
また、バックライトユニット６０２とレンズ鏡筒ユニット２０３との間で撮像素子２０５の側面に突出するように支持部材１０２には凹み部１０５が形成されており、凹み部１０５には送受信用のアンテナ部８００が配置してある。さらにアンテナ部８００と支持部材１０２の間には、アンテナ部８００が電波を送受信する際に金属部材からなる支持部材１０２の影響を防ぐための絶縁シート１０３が配置されている。
【００３０】
図２、図３はそれぞれ本実施の形態で用いる撮像装置１００の正面斜視図と背面斜視図であり、撮像装置１００は電源のＯＮ/ＯＦＦを切り替えるパワーボタン５０１、シャッターを切るためのレリーズボタン５０２、撮影する範囲の確認を行うためのファインダ２０１、暗所での撮影を補助するためのストロボ２０２、光学系の処理を行うためのレンズ鏡筒ユニット２０３、撮影画像、メニュー設定画面等を表示するための液晶パネル６０１、各機能を設定するための機能設定ボタン５０４ａ、５０４ｂ、５０４ｃ、５０４ｄ、５０４ｅ、５０４ｆ、を備えていて、さらに外装は金属部材の外装カバー１０１で覆われている。
【００３１】
図４は本実施形態の撮像装置１００のブロック図であり、撮像装置１００には、撮像部２００、撮像信号処理部３００、制御部４００、操作部５００、表示部６００、無線通信部７００、アンテナ部８００、記録部９００が設けられている。
【００３２】
撮像部２００は、フォーカスレンズやズームレンズ等の撮影レンズ２０４とＣＣＤ２０５からなり、撮影レンズ２０４を通過した被写体象がＣＣＤ２０５の受光面上に結像し、結像した被写体の光量に応じ、電荷が蓄積される。撮像部２００は、更にファインダ２０１とストロボ２０２を有しており、ファインダ２０１では、撮影する範囲の確認を行うことができ、ストロボ２０２は、コンデンサに蓄えられたエネルギーが放電管に供給されたときに発光することで機能する。撮像信号処理部３００では、ＣＣＤ２０５から出力されたアナログ信号を、Ｒ、Ｇ、Ｂ成分に分解し、ホワイトバランスが調整される。更に、撮像信号処理部３００では、ガンマ補正を行い、必要なタイミングでＲ、Ｇ、Ｂ信号を順じＡ／Ｄ変換し、得られたデジタル画像データを制御部４００に出力する。
【００３３】
制御部４００は、ＣＰＵ４０１とメモリ制御部４０２からなる。ＣＰＵ４０１は、操作部５００からの入力に基づいてデジタルカメラ内の回路各部を統括制御する。メモリ制御部４０２は、不揮発性メモリとメインメモリを制御する。不揮発性メモリには、ユーザによる設定情報や出荷時の調整値等、デジタルカメラの電源がＯＦＦの間も保持すべきデータが格納されている。メインメモリには、撮像信号処理部３００から出力されたデータを格納するフレームメモリとしての機能、各種プログラムをロードするシステムメモリとしての機能、その他ワークエリアとしての機能を持つ。さらに、撮影時には制御部４００は得られた画像データを記録部９００に出力して記録する。再生時には、記録部９００から制御部４００が読み取った信号を表示部６００に送り、表示する。
【００３４】
操作部５００は、ユーザによるスイッチ操作を検出し制御部４００に制御信号を出力する。パワースイッチ５０１は、デジタルカメラの電源ＯＮ／ＯＦＦを決める。レリーズスイッチ５０２は、半押しと全押しの２段階押し込み構造になっている。半押しで、ＡＦ及びＡＥをロックし、全押しで撮影画像の取り込みが行われる。ズームスイッチ５０３は、ズームレンズの倍率を設定する。操作部５００では、これらのスイッチの他、回転モードダイヤルや十字キー等によるスイッチを設定しても良く、機能設定スイッチ５０４と称している。機能設定スイッチ５０４で指定できる動作としては、ファイルフォーマット、特殊機能、決定／保存、表示切り替え、無線通信のための設定がある。
【００３５】
表示部６００は、液晶パネル６０１、バックライトユニット６０２、液晶パネル駆動回路を備えている。液晶パネル６０１は、液晶パネル駆動回路により制御されることにより画像データを表示する他、無線通信を行うためのメニューや撮影時における設定情報を表示する。さらにバックライトユニット６０２の裏面にはアンテナ部８００が配置されている。
【００３６】
無線通信部７００は、無線通信の規格に従って構成され、ベースバンド部７０１、ＲＦ/ＩＦ部７０２を備える。ベースバンド部７０１は、ＤＳＰ（Ｄｉｇｉｔａｌ  Ｓｉｇｎａｌ  Ｐｒｏｃｅｓｓｅｒ）、マイクロコンピュータ、システムクロック等を備え、無線通信プロトコルのベースバンド層で規定された機能を実装しており、総置換の物理的なＲＦ/ＩＦリンクを張る処理を行う。ＲＦ/ＩＦ部７０２は、Ｄ／Ａ変換部、変調器、復調器等を備え、無線通信プロトコルのＲＦ/ＩＦ層で規定された機能を実装しており、データの変復調処理を行う。このような処理をすることにより、アンテナ部８００を通じて無線通信を行うことが可能になる。
【００３７】
以上より本発明に適用される第一の実施形態によれば、バックライトユニット６０２と支持部材１０２の間にアンテナ部８００を配置したので、バックライトユニット６０２の裏面の平面を有効利用することにより撮像装置１００の投影面積を大きくすることなくアンテナ部８００を配置することができ、また、液晶パネル６０１とバックライトユニット６０２はガラス材或いはPET材で構成されているため、撮像装置１００の外装カバー１０１と液晶パネル６０１とバックライトユニット６０２の支持部材１０２が金属部材であっても安定した無線通信をおこなえるようになった。さらに、撮影レンズ２０４の背面側で前記撮像素子の側面の空間に配置するように、アンテナ部８００を収納する凹み部を支持部材１０２に形成したので、デッドスペースを有効に活用することにより、液晶パネル６０１にかかる外圧からアンテナ部８００を保護しつつ厚み方向に関しても機器本体を小型化することができるようになった。
【実施例２】
【００３８】
第一の実施形態では反射板６０４とアンテナ部８００とを別部品としていたが、部品点数を削減するために一体に形成してもよい。図５は本発明に適用される第二の実施形態の撮像装置１００の断面図である。本実施形態によれば、バックライトユニット６０２を構成する部品の中で最背面に配置されていて、導光板６０３、拡散板６０５、集光板６０６のように高透過率を必要としない反射板６０４の内部にアンテナ部８００を一体に形成することにより、撮像装置１００はバックライトユニット６０２の輝度を落とすことなくアンテナ部８００を備えることができ、さらに部品点数を削減することができた。
【図面の簡単な説明】
【００３９】
【図１】本発明に適用される第一の実施形態の撮像装置の断面図。
【図２】本発明に適用される第一の実施形態の撮像装置の正面斜視図。
【図３】本発明に適用される第一の実施形態の撮像装置の背面斜視図。
【図４】本発明に適用される第一の実施形態の撮像装置のブロック図。
【図５】本発明に適用される第二の実施形態の撮像装置の断面図。
【符号の説明】
【００４０】
１００  本発明に適用される撮像装置
１０１  撮像装置の外装カバー
１０２  液晶パネルとバックライトの支持部材
１０３  絶縁シート
２０３  レンズ鏡筒ユニット
６０１  液晶パネル
６０２  バックライトユニット
６０３  導光板
６０４  反射板
６０５  拡散板
６０６  集光板
８００  アンテナ部
【図１】
2009141770.tif 000003
【図２】
2009141770.tif 000004
【図３】
2009141770.tif 000005
【図４】
2009141770.tif 000006
【図５】
2009141770.tif 000007